(57)【要約】  光反射部材（２００）の内面（２１０）は、内面（２１０）が一端（２２０）に対向する方向に傾斜している。光反射部材（２００）の一端（２２０）は円形又は楕円形である。光反射部材（２００）は、内面（２１０）に平行な断面における内周の形状が発光部材（１００）と同一形状または相似である部分（以下、多角部と記載）を有している。多角部は光反射部材（２００）の他端（２４０）である。また、内面（２１０）は、内面（２１０）のうち一端（２２０）と上記した多角部の間の少なくとも一部が光反射面になっている。そして、発光部材（１００）は、上記した多角部に、内面（２１０）に光を放射する方向に取り付けられている。
2017002267.tif 000002
【特許請求の範囲】
【請求項１】
少なくとも一端が開口している筒部材を備え、
前記筒部材の内面は、前記内面が前記一端の開口に対向する方向に傾斜しており、
前記一端は円形又は楕円形であり、
前記筒部材は、前記一端に平行な断面における内周が多角形である多角部を有しており、かつ、前記内面のうち前記一端と前記多角部の間の少なくとも一部が光反射面である光反射装置。
【請求項２】
請求項１に記載の光反射装置において、
前記筒部材の他端が前記多角形である光反射装置。
【請求項３】
請求項２に記載の光反射装置において、
前記他端は開口している光反射装置。
【請求項４】
請求項１〜３のいずれか一項に記載の光反射装置において、
前記筒部材は、前記多角部と前記一端との間に、前記一端に平行な断面が円形または楕円形となる領域を有していない光反射装置。
【請求項５】
請求項１〜４のいずれか一項に記載の光反射装置において、
前記一端に垂直であり前記多角部の角を含む断面、及び前記一端に垂直であり前記多角部の角を含まない断面のいずれにおいても、前記筒部材は直線である光反射装置。
【請求項６】
請求項１〜３のいずれか一項に記載の光反射装置において、
前記筒部材は、前記多角部と前記一端との間に、前記一端に平行な断面が円形または楕円形となる領域を有している光反射装置。
【請求項７】
請求項６に記載の光反射装置において、
前記一端に垂直であり前記多角部の角を含む断面において、前記筒部材は直線であり、
前記一端に垂直であり前記多角部の角を含まない断面において、前記筒部材は曲線となる領域を有している光反射装置。
【請求項８】
請求項１〜７のいずれか一項に記載の光反射装置において、
前記多角部の複数の角のそれぞれにおいて、前記一端に垂直であり前記角を含む断面と前記一端との交点を形成した場合、すべての前記交点を前記一端に沿って結ぶことにより形成される図形は、前記多角形と相似である光反射装置。
【請求項９】
請求項８に記載の光反射装置において、
前記多角形は正方形である光反射装置。
【請求項１０】
少なくとも一端が開口している筒部材と
前記筒部材の内部に収容され、多角形である発光部材と、
を備え、
前記筒部材の内面は、前記内面が前記一端の開口に対向する方向に傾斜しており、
前記一端は円形又は楕円形であり、
前記筒部材は、前記一端に平行な断面における内周が前記多角形と同一または相似である多角部を有しており、かつ、前記内面のうち前記一端と前記多角部の間の少なくとも一部が光反射面であり、
前記発光部材は、前記多角部に、前記一端に光を放射する方向に取り付けられている発光装置。
【発明の詳細な説明】
【技術分野】
【０００１】
本発明は、光反射装置及び発光装置に関する。
【背景技術】
【０００２】
発光素子の一つに有機ＥＬ素子がある。有機ＥＬ素子は、第１電極と第２電極の間に有機層を挟んだ構成を有しているため、面光源にすることができる。一方、発光素子を照明装置として使用する場合、集光効率を向上させることを目的として、発光素子を光反射部材で囲むことが多い。例えば特許文献１には、複数のＬＥＤからなる面光源に、回転放物面からなる筒状の光反射部材を取り付けることが記載されている。
【先行技術文献】
【特許文献】
【０００３】
【特許文献１】国際公開第２００９／０２８０９０号
【発明の概要】
【発明が解決しようとする課題】
【０００４】
有機ＥＬ素子は製造効率・コストの観点から、いわゆる大判で作成してから、所望のサイズのパネルにスクライブ（裁断）するというプロセスで製造されることが多い。大判から切り取るため取出し枚数の都合上、有機ＥＬ素子の形状は多角形（例えば矩形）である場合が多い。また、製造プロセスの効率上、大判自体も多角形である場合が多い。他方で、従来がたの点光源のような光装置の発光を集光あるいは分光する光反射装置としては、円筒形の光反射装置が知られている。面光源である有機ＥＬ素子が多角形である場合、円筒形の光反射装置を用いると照明装置によって照明される領域には、有機ＥＬ素子の角部の存在に起因して、配光分布の光度変化が不均一な部分が発生し、照明される領域において照度ムラができてしまう。本発明者は、多角形の有機ＥＬ素子を発光装置の発光部材として使用する場合において、光反射部材の形状を工夫することにより、有機ＥＬ素子によって照明される領域の照度変化が均等となり、照度ムラが生じないようにすることを検討した。【０００５】
本発明が解決しようとする課題としては、多角形の有機ＥＬ素子を発光装置の発光部材として使用する場合において、光反射部材の形状を工夫することにより、有機ＥＬ素子によって照明される領域の照度変化を均等として、照度ムラが生じないようにすることが一例として挙げられる。
【課題を解決するための手段】
【０００６】
請求項１に記載の発明は、少なくとも一端が開口している筒部材を備え、
前記筒部材の内面は、前記内面が前記一端の開口に対向する方向に傾斜しており、
前記一端は円形又は楕円形であり、
前記筒部材は、前記一端に平行な断面における内周が多角形である多角部を有しており、かつ、前記内面のうち前記一端と前記多角部の間の少なくとも一部が光反射面である光反射装置である。【０００７】
請求項１０に記載の発明は、少なくとも一端が開口している筒部材と
前記筒部材の内部に収容され、多角形である発光部材と、
を備え、
前記筒部材の内面は、前記内面が前記一端の開口に対向する方向に傾斜しており、
前記一端は円形又は楕円形であり、
前記筒部材は、前記一端に平行な断面における内周が前記多角形と同一または相似である多角部を有しており、かつ、前記内面のうち前記一端と前記多角部の間の少なくとも一部が光反射面であり、
前記発光部材は、前記多角部に、前記一端に光を放射する方向に取り付けられている発光装置である。
【図面の簡単な説明】
【０００８】
上述した目的、およびその他の目的、特徴および利点は、以下に述べる好適な実施の形態、およびそれに付随する以下の図面によってさらに明らかになる。【０００９】
【図１】実施形態に係る発光装置の構成を示す斜視図である。
【図２】図１のＡ−Ａ断面図である。
【図３】図１のＢ−Ｂ断面図である。
【図４】発光装置の配光分布を示す図である。
【図５】発光装置の配光分布を示す図である。
【図６】変形例１に係る発光装置の斜視図である。
【図７】図６に示した光反射部材の断面図である。
【図８】図６に示した光反射部材の断面図である。
【図９】変形例１に係る配光分布の第１例を示す図である。
【図１０】変形例１に係る配光分布の第１例を示す図である。
【図１１】変形例１に係る配光分布の第２例を示す図である。
【図１２】変形例１に係る配光分布の第２例を示す図である。
【図１３】変形例１に係る配光分布の第３例を示す図である。
【図１４】変形例１に係る配光分布の第３例を示す図である。
【図１５】変形例２に係る発光装置の斜視図である。
【図１６】図１５に示した光反射部材の断面図である。
【図１７】図１５に示した光反射部材の断面図である。
【図１８】変形例２における配光分布を示す図である。
【図１９】変形例３に係る発光装置の斜視図である。
【図２０】図１９に示した光反射部材の断面図である。
【図２１】図１９に示した光反射部材の断面図である。
【図２２】図１９に示した光反射部材の断面図である。
【図２３】変形例３における配光分布を示す図である。
【図２４】変形例３における配光分布を示す図である。
【図２５】変形例３における配光分布を示す図である。
【図２６】変形例４に係る発光装置の斜視図である。
【図２７】図２６に示した光反射部材の断面図である。
【図２８】図２６に示した光反射部材の断面図である。
【図２９】図２６に示した光反射部材の断面図である。
【図３０】変形例４における配光分布を示す図である。
【図３１】変形例４における配光分布を示す図である
【図３２】変形例４における配光分布を示す図である
【図３３】比較例に係る発光装置の斜視図である。
【図３４】比較例に係る発光装置の配光分布を示す図である。
【図３５】比較例に係る発光装置の配光分布を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０の構成を示す斜視図である。図２は図１のＡ−Ａ断面、すなわち一端２２０に垂直であり、かつ発光部材１００の対角線を含まない断面である。図３は図１のＢ−Ｂ断面、すなわち一端２２０に垂直であり、かつ発光部材１００の角部を含む断面である。なお、本図に示す例において、Ａ−Ａ断面は、矩形である他端２４０の中心（すなわち他端２４０の２つの対角線の交点）を通っており、かつ他端２４０の一辺と平行である。
【００１２】
実施形態に係る発光装置１０は、発光部材１００及び光反射部材２００を有している。光反射部材２００は筒状の部材（筒部材）であり、少なくとも一端２２０が開口している。また、光反射部材２００の一端２２０は円形又は楕円形である。一端２２０は円周部分２２１と円の中心点である中心２２２を有する。発光部材１００は多角形（例えば矩形）である。発光部材１００は筒状の光反射部材２００の途中に配置されていてもよい。また、光反射部材２００の他端２４０が閉口している場合は、光反射部材２００の内部に収容されている。この際、発光部材１００は光反射部材２００の底面に配置されていてもよい。他方、光反射部材２００の他端２４０は開口していてもよく、その場合、光反射部材２００の他端２４０の開口は発光部材１００と相似形になっている。この場合、発光部材１００と光反射部材２００の他端２４０の開口とは隙間なく接してもよい。また、発光部材１００と光反射部材２００との間に隙間がある場合、この隙間に樹脂などの光非透過性の材料を設けてもよい。光反射部材２００の内面２１０は、内面２１０が一端２２０の開口に対向する方向に傾斜している。光反射部材２００は、内面２１０を発光部材１００に平行な面で断面を形成した場合の当該断面における内周の形状が発光部材１００と同一形状または相似である部分（以下、多角部と記載）を有している。図１、図２、及び図３に示す例において、多角部は光反射部材２００の他端２４０である。また、内面２１０は、内面２１０のうち一端２２０と上記した多角部の間の少なくとも一部が光反射面になっている。そして、発光部材１００は、上記した多角部に、内面２１０に光を放射する方向に取り付けられている。以下、詳細に説明する。
【００１３】
発光部材１００は、例えば基板及び発光素子を有している。発光素子は基板の一面の上に形成されている。
【００１４】
発光素子がボトムエミッション型である場合、基板は、例えばガラスや透光性の樹脂などの透光性の材料で形成されている。ただし、発光素子がトップエミッション型である場合、基板は透光性を有さない材料で形成されていてもよい。基板は、例えば矩形などの多角形である。また、基板が樹脂材料を含む場合、水分が基板を透過することを抑制するために、基板の少なくとも発光面（好ましくは両面）に、ＳｉＮｘやＳｉＯＮなどの無機バリア膜が形成されている。
【００１５】
発光素子は、例えば有機ＥＬ素子である。この場合、発光素子は、第１電極、有機層、及び第２電極をこの順に積層させた構成を有している。
【００１６】
第１電極は、光透過性を有する透明電極である。透明電極を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極の厚さは、例えば１０ｎｍ以上５００ｎｍ以下である。第１電極は、例えばスパッタリング法又は蒸着法を用いて形成される。なお、第１電極は、カーボンナノチューブ、又はＰＥＤＯＴ／ＰＳＳなどの導電性有機材料であってもよい。
【００１７】
第２電極は、例えば、Ａｌ、Ａｕ、Ａｇ、Ｐｔ、Ｍｇ、Ｓｎ、Ｚｎ、及びＩｎからなる第１群の中から選択される金属又はこの第１群から選択される金属の合金からなる金属層を含んでいる。この場合、第２電極は遮光性を有している。第２電極の厚さは、例えば１０ｎｍ以上５００ｎｍ以下である。ただし、第２電極は、第１電極の材料として例示した材料を用いて形成されていてもよい。第２電極は、例えばスパッタリング法又は蒸着法を用いて形成される。
【００１８】
なお、上記した第１電極及び第２電極の材料は、基板を光が透過する場合、すなわち発光装置１０からの発光が基板を透過して行われる場合（すなわちボトムエミッション型）の例である。発光装置１０からの発光が基板を透過しないで行われる場合（トップエミッション型）、逆積型と、順積型との２種類の積層構造のいずれかを採用できる。逆積型では、第１電極の材料と第２電極の材料はボトムエミッション型と逆になる。すなわち第１電極の材料には上記した第２電極の材料が用いられ、第２電極の材料には上記した第１電極の材料が用いられる。他方の順積型では、上記した第２電極の材料の上に第１電極の材料を形成し、更にその上に有機層、さらにその上に薄く成膜した第２電極を形成することで、基板とは逆側から光を取出す構造である。なお、薄く成膜する材料は、例えば第２電極の材料として例示した材料やＭｇＡｇ合金などである。
【００１９】
有機層は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層は蒸着法で形成されてもよい。また、有機層のうち少なくとも一つの層、例えば第１電極と接触する層は、インクジェット法、印刷法、又はスプレー法などの塗布法によって形成されてもよい。なお、この場合、有機層の残りの層は、蒸着法によって形成されている。また、有機層のすべての層が、塗布法を用いて形成されていてもよい。
【００２０】
発光部材１００は、さらに、発光素子を封止する封止部を有している。封止部は、例えばガラス、アルミニウムなどの金属、又は樹脂を用いて形成されており、基板と同様の多角形や円形であり、中央に凹部を設けた形状を有している。そして封止部の縁は接着材で基板に固定されている。これにより、封止部と基板で囲まれた空間は封止される。そして発光部は、この封止された空間の中に位置している。
【００２１】
封止部は封止膜であってもよい。封止膜は、例えば絶縁材料、さらに具体的には酸化アルミニウムや酸化チタンなどの無機材料によって形成されている。封止膜の厚さは、好ましくは３００ｎｍ以下である。また、封止膜の厚さは、例えば５０ｎｍ以上である。封止膜は、例えばＡＬＤ（Atomic Layer Deposition）法を用いて形成されているが、他の成膜法、例えばＣＶＤ法やスパッタリング法を用いて形成されていてもよい。
【００２２】
光反射部材２００は、筒状の部材であり、少なくとも一端２２０は、光を放射するために開口している。一端２２０は円形又は楕円である。より詳細には、発光部材１００が正多角形（例えば正方形）である場合、一端２２０は円形であり、発光部材１００がそれ以外の場合（例えば長方形）である場合、一端２２０は楕円形である。
【００２３】
光反射部材２００は、一端２２０に平行な断面における内周が発光部材１００と同一の多角形となる領域（以下、多角部と記載）を有している。多角部は、発光部材１００を保持するために設けられている。図１、図２、及び図３に示す例において、他端２４０は開口しており、上記した多角部となっている。また、図１、図２、及び図３に示す例において、他端２４０の平面形状は正方形である。
【００２４】
光反射部材２００を一端２２０に平行な断面で見たときの形状は、断面が他端２４０から一端２２０に近づくにつれて徐々に丸みを帯びていく。ただし、他端２４０よりも一端２２０に近い部分における断面は、いずれも他端２４０と同様の位置に角を有している。このため、光反射部材２００は、他端２４０（すなわち多角部）から一端２２０までの間で、一端２２０に平行な断面を形成した場合には、どの部分の断面においても円形または楕円形となる断面形状を有していない。図１に示す例において、当該断面は、４つの角を有しているが、この角の角度は、当該断面が他端２４０から一端２２０に近づくにつれて、徐々に大きくなっている。
【００２５】
そして、光反射部材２００のうち、図１のＡ−Ａ断面、つまり図２の断面に現れる部分の内面２１０（以下、第１部分２１２と記載）、及び図１のＢ−Ｂ断面、つまり図３の断面に現れる部分の内面２１０（以下、第２部分２１４と記載）は、いずれも直線である。ただし、図２に示した断面の傾斜のほうが、図３に示した断面の傾斜よりも緩やかである。
【００２６】
また、光反射部材２００の内面２１０のうち、少なくとも多角部と一端２２０の間の領域の少なくとも一部（好ましくは全部）は、光を反射する光反射面（鏡）になっている。図１、図２、及び図３に示す例では他端２４０が多角部となっているため、内面２１０の全体が光反射面になっている。
【００２７】
また、図１に示すように、光反射部材２００は一端２２０の円周部分２２１に複数の交点２０２を有する。交点２０２の数は、多角部の角の数と一致している。交点２０２は、いずれも、他端２４０（すなわち多角部）の角から一端２２０を含む面に下した垂線の端部と、一端２２０の中心２２２とを直線で結んだ線のうち円周２２１上にある点である。換言すれば、交点２０２は、いずれも、一端２２０に垂直かつ一端２２０の中心２２２及び他端２４０の角を含む面と、一端２２０の円周２２１との交点である。すべての交点２０２を一端２２０に沿って結ぶことにより形成される図形は、他端２４０と相似（図１に示す例では正方形）である。
【００２８】
図４及び図５は、図１、図２、及び図３に示した発光装置１０の配光分布を示す図である。図３４及び図３５は、比較例に係る発光装置１０の配光分布を示す図である。比較例において、光反射部材２００は、図３３に示すように、底面が発光部材１００と相似の角錐の頂部を切り落として他端２４０とした形状を有している。言い換えると、比較例に係る光反射部材２００は、一端２２０、他端２４０、及び一端２２０に平行な断面のすべてが互いに相似な多角形（例えば矩形）となっている。そして図４及び図３４は、発光部材１００から１ｍ離れた場所における水平１８０°の配光分布であり、図５及び図３５は、発光部材１００から１ｍ離れた場所における発光部材１００の中央に対する半球状の配光分布である。いずれの図においても、発光部材１００の中心に対応する領域が輝度の基準点となっている。図４と図３４の水平方向分布より、本実施形態を有する発光装置１０は1/2ビーム角が78°程度となっており、発光をより中央へと集光することができる。また、図５と図３５の半球配光分布より、比較例の図３５に現れている光度が他の領域よりも高いスジムラが軽減されていることがわかる。これは、光反射部材２００の一端２２０を円形状としたことにより内面２１０において、角部分を極力減らし、急峻な形状の変化を抑えたためである。これにより発光面を最大限活用したまま配光を中央へと集光させることができ、さらに配光ムラを抑えることができる。
【００２９】
そして、このように実施形態に係る発光装置１０では、比較例に係る発光装置１０よりも、発光部材１００の角部に対応した光度変化の不均一な部分を小さくできる。従って、本実施形態によれば、発光部材１００によって照明される領域において照度ムラが小さくなる。
【００３０】
なお、光反射部材２００を、円錐の頂部を切り落として他端２４０とした形状にすることも考えられる。しかし、この場合、光反射部材２００に発光部材１００をきちんと嵌め込むことができない。このため、他端２４０が発光部材１００よりも大きい場合、他端２４０の径は発光部材１００が全て収まるように設計する必要があり、かなり大きな径となってしまう。結果として光反射部材２００が発光部材１００よりもかなり大きくなり現実的ではない。
【００３１】
（変形例１）
図６は、変形例１に係る発光装置１０の斜視図であり、実施形態における図１に対応している。図７及び図８は、図６に示した光反射部材２００の断面図である。図７は図６のＡ−Ａ断面に対応しており、図８は図６のＢ−Ｂ断面に対応している。すなわち図７は実施形態における図２に対応しており、図８は実施形態における図３に対応している。本変形例に係る発光装置１０は、光反射部材２００の形状を除いて、実施形態に係る発光装置１０と同様の構成である。
【００３２】
本変形例においても、一端２２０に平行な断面で見たときの光反射部材２００の形状は、断面が他端２４０から一端２２０に近づくにつれて徐々に丸みを帯びていく。ただし、一端２２０と他端２４０の間において断面は円形又は楕円になり、それより一端２２０に近い領域での断面も、円形又は楕円である。このため、図７に示すように、光反射部材２００の内面２１０のうち、一端２２０に垂直であり、かつ発光部材１００の対角線を含まない断面に示される部分（第１部分２１２）は、少なくとも上部が曲線である。一方、図７に示すように、光反射部材２００の内面２１０のうち、一端２２０に垂直であり、かつ発光部材１００の角部を含む断面に示される部分（第２部分２１４）は、実施形態と同様に直線である。
【００３３】
図９及び図１０は、図６、図７、及び図８に示した発光装置１０の配光分布の第１例を示す図である。図９は実施形態の図４に対応しており、図１０は実施形態の図５に対応している。本図に示す例において、光反射部材２００の断面は、他端２４０よりも、一端２２０と他端２４０の中間点で円形又は楕円になっている。本図から明らかなように、本変形例によっても、実施形態と同様に、発光部材１００によって照明される領域の明るさのばらつきは、図３４及び図３５に示した比較例よりも小さくなる。
【００３４】
また、本例によれば、中心と同程度の光度となっている領域は、実施形態よりも広がっている。具体的には、図９より、1/2ビーム角は約１０２°程度となっていることがわかる。また、実施形態や比較例のものよりも中央付近の光度分布がつぶれた形状となっており、中央から広い範囲において均一な光度となっていることがわかる。さらに、図１０より、配光のムラも見られず、さらに中心から広い範囲で光度が一定になっていることがわかる。以上より、変形例１の第１例に係る発光装置１０によれば、配光ムラを発生させずに、配光の中心から広い範囲で光度をより均一にできる。
【００３５】
図１１及び図１２は、図６、図７、及び図８に示した発光装置１０の配光分布の第２例を示す図である。図１１は実施形態の図４に対応しており、図１２は実施形態の図５に対応している。他端２４０から一端２２０までの高さを「１」とすると、本図に示す例では高さが３／４の位置で光反射部材２００の断面が円形又は楕円になっている。図１１より、本変形例では１／２ビーム角は約９６°であることがわかる。
【００３６】
また、図１３及び図１４は、図６、図７、及び図８に示した発光装置１０の配光分布の第３例を示す図である。図１３は実施形態の図４に対応しており、図１４は実施形態の図５に対応している。本図に示す例では高さが１／４の位置で光反射部材２００の断面が円形又は楕円になっている。図１３より、本変形例では１／２ビーム角は約１４２°であることがわかる。
【００３７】
以上のことから、光反射部材２００の断面が円形又は楕円になる部分を一端２２０に近づけると発光装置１０の中央への集光効果が強くなり1/2ビーム角が狭くなり、逆にこの部分を他端２４０に近づけると同程度の光度の範囲が広くなっていくことがわかる。従って、中央へ集光させたい場合には、光反射部材２００の断面が円形又は楕円になる部分を一端２２０に近づけるのがよい。一方、広い範囲で同じ光度にしたい場合にはこの部分を他端２４０に近づけるのがよい。このように、光反射部材２００の断面が円形又は楕円になる部分の位置（高さ）を調整すると、光反射部材２００の特性を変化させることができる。
【００３８】
（変形例２）
図１５は、変形例２に係る発光装置１０の斜視図であり、変形例１における図６に対応している。図１６及び図１７は、図１５に示した光反射部材２００の断面図である。図１６は図１５のＡ−Ａ断面に対応しており、図１７は図１５のＢ−Ｂ断面に対応している。すなわち図１６は変形例１における図７に対応しており、図１７は変形例１における図８に対応している。本変形例２に係る発光装置１０は、光反射部材２００の形状を除いて、変形例１に係る発光装置１０と同様の構成である。
【００３９】
本図に示す例においても、一端２２０に平行な断面で見たときの光反射部材２００の形状は、変形例１と同様に、一端２２０と他端２４０の間の部分で断面は円形又は楕円になり、それより一端２２０に近い領域での断面も、円形又は楕円である。ただし、円（又は楕円）の径を調整することにより、図１６に示したＡ−Ａ断面（すなわち他端２４０の角を含まない断面）において、光反射部材２００の内面２１０（第１部分２１２）は直線となっている。その結果、図１７に示したＢ−Ｂ断面（すなわち他端２４０の２つの角を含む断面）において、光反射部材２００の内面２１０（第２部分２１４）は、上部が外側に向けて曲がっている。
【００４０】
図１８は、本変形例に係る発光装置１０における、発光部材１００から１ｍ離れた場所における水平１８０°の配光分布を示す図である。本例において、光反射部材２００の断面が円形又は楕円になる部分の位置（高さ）は、他端２４０から３／４である。本例において、１／２ビーム角は８６°となっている。
【００４１】
本変形例によっても、変形例１と同様に、光反射部材２００の断面が円形又は楕円になる部分の位置（高さ）を調整することにより、光反射部材２００の特性を変化させることができる。
【００４２】
（変形例３）
図１９は、変形例３に係る発光装置１０の斜視図であり、実施形態における図１に対応している。図２０、図２１、及び図２２は、図１９に示した光反射部材２００の断面図である。図２０は図１９のＡ−Ａ断面に対応しており、図２１は図１９のＢ−Ｂ断面に対応している。すなわち図２０は実施形態における図２に対応しており、図２１は実施形態における図３に対応している。また、図２２は図１９のＣ−Ｃ断面（すなわち一端２２０に垂直であり、かつ他端２４０の２つの長辺それぞれの中心を含む断面）である。本変形例に係る発光装置１０は、他端２４０が長方形である点、及びこれに伴って光反射部材２００の形状が変わっている点を除いて、実施形態に係る発光装置１０と同様の構成である。
【００４３】
本変形例において、光反射部材２００の内面２１０のうち図２０の断面に示される部分（第１部分２１２）、図２１の断面に示される部分（第２部分２１４）、及び図２２の断面に示される部分（第３部分２１６）は、いずれも直線である。
【００４４】
図２３及び図２４は、本変形例に係る発光装置１０における、発光部材１００から１ｍ離れた場所における水平１８０°の配光分布を示す図である。図２３は、長辺方向の配光特性（Ａ−Ａ方向の配光特性）を示しており、図２４は短辺方向の配光特性（Ｃ−Ｃ方向の配光特性）を示している。図２３における１／２ビーム角は８４°であり、図２４における１／２ビーム角は７６°である。
【００４５】
図２５は、発光部材１００から１ｍ離れた場所における発光部材１００の中央に対する半球状の配光分布である。本図から、本変形例において中央付近の光度が広い範囲で均一となっていることがわかる。
【００４６】
以上の通り、本変形例によっても、実施形態と同様に、発光部材１００によって照明される領域の照度ムラは、小さくなる。
【００４７】
（変形例４）
図２６は、変形例４に係る発光装置１０の斜視図であり、変形例３における図１９に対応している。図２７、図２８、及び図２９は、図２６に示した光反射部材２００の断面図である。図２７は変形例３における図２０に対応しており、図２８は変形例３における図２１に対応しており、図２９は変形例３における図２２に対応している。本変形例に係る発光装置１０は、変形例１と同様に、一端２２０に平行な断面で見たときの光反射部材２００の形状が、一端２２０と他端２４０の間の部分で断面は円形又は楕円になり、それより一端２２０に近い領域での断面も、円形又は楕円である点を除いて、変形例３に係る発光装置１０と同様の構成である。
【００４８】
そして、光反射部材２００の内面２１０のうち図２７の断面に示される部分（第１部分２１２）及び図２９の断面に示される部分（第３部分２１６）は、少なくとも一部（例えば上部）に曲線となる部分を有しているが、図２８の断面に示される部分（第２部分２１４）は、直線である。
【００４９】
図３０、図３１、及び図３２は、本変形例に係る発光装置１０の配光分布を示す図である。図３０は変形例３の図２３に対応しており、図３１は変形例３の図２４に対応しており、図３２は変形例３の図２５に対応している。図３０すなわち長辺方向の１／２ビーム角は９２°であり、図３１すなわち短辺方向の１／２ビーム角は９０°である。また、図３２に示すように、変形例１と同様に途中で楕円になることで、図２５と比較して中央付近の光度がさらに広い範囲で均一となる。
【００５０】
このように、本変形例によっても、変形例１と同様に、光反射部材２００の断面が円形又は楕円になる部分の位置（高さ）を調整することにより、光反射部材２００の特性を変化させることができる。
【００５１】
以上、図面を参照して実施形態及び実施例について述べたが、これらは本発明の例示であり、上記以外の様々な構成を採用することもできる。
【図１】
2017002267.tif 000003
【図２】
2017002267.tif 000004
【図３】
2017002267.tif 000005
【図４】
2017002267.tif 000006
【図５】
2017002267.tif 000007
【図６】
2017002267.tif 000008
【図７】
2017002267.tif 000009
【図８】
2017002267.tif 000010
【図９】
2017002267.tif 000011
【図１０】
2017002267.tif 000012
【図１１】
2017002267.tif 000013
【図１２】
2017002267.tif 000014
【図１３】
2017002267.tif 000015
【図１４】
2017002267.tif 000016
【図１５】
2017002267.tif 000017
【図１６】
2017002267.tif 000018
【図１７】
2017002267.tif 000019
【図１８】
2017002267.tif 000020
【図１９】
2017002267.tif 000021
【図２０】
2017002267.tif 000022
【図２１】
2017002267.tif 000023
【図２２】
2017002267.tif 000024
【図２３】
2017002267.tif 000025
【図２４】
2017002267.tif 000026
【図２５】
2017002267.tif 000027
【図２６】
2017002267.tif 000028
【図２７】
2017002267.tif 000029
【図２８】
2017002267.tif 000030
【図２９】
2017002267.tif 000031
【図３０】
2017002267.tif 000032
【図３１】
2017002267.tif 000033
【図３２】
2017002267.tif 000034
【図３３】
2017002267.tif 000035
【図３４】
2017002267.tif 000036
【図３５】
2017002267.tif 000037
【国際調査報告】
2017002267.tif 000038
2017002267.tif 000039
2017002267.tif 000040
2017002267.tif 000041